(57)【要約】【課題】機械的に創作しうる水準の医薬発明の特許化を阻止し、或いは、機械的に創作しうる水準の医薬発明について与えられた特許を事実上無効化することにより、医薬分野の技術の進歩及び医薬発明の実施を促進する。【解決手段】発明マシン１１は、医薬発明が記載された内容の異なる非常に多数の発明文書Ｄを次々と自動生成する。発明公開サーバ１２は、それら非常に多数の発明文書Ｄをインターネット１４上に次々と公開する。クライアントマシン１３のユーザ（公衆）がインターネット１４上に公開された非常に多数の発明文書にアクセスしうる状況が作り出される。発明文書に記載された医薬発明は新規性を喪失する。その後にそれらの医薬発明についてなされた特許出願は拒絶される。当該出願に係る医薬発明が特許されたとしても、当該特許は無効理由を有することになる。【選択図】図１
2017188116.tif 000002
【特許請求の範囲】
【請求項１】
医薬文書検索機能と機械的発明機能と公衆利用可能化機能とを有する、発明系。
医薬文書検索機能は、公開情報の中から医薬文書を探し出す機能である。
公開情報は、公に開示された情報である。
医薬文書は、医薬情報が記載されている文書である。
機械的発明機能は、医薬情報抽出機能と医薬情報改変機能と発明文書生成機能とを有する。
医薬情報抽出機能は、医薬文書から医薬情報を抽出する機能である。
医薬情報改変機能は、医薬情報を改変して改変医薬情報を生成する機能である。
発明文書生成機能は、発明文書を生成する機能である。
発明文書は、改変医薬情報により特定される医薬発明が記載された文書である。
公衆利用可能化機能は、発明文書を電気通信回線を通じて公衆に利用可能とする機能である。
【請求項２】
第１種のコンピュータと第２種のコンピュータと第３種のコンピュータとを有する、発明系。
第１種のコンピュータと第２種のコンピュータは互いに通信可能である。
第１種のコンピュータと第３種のコンピュータは互いに通信可能である。
第１種のコンピュータは、医薬文書検索機能と機械的発明機能と公衆利用可能化機能とを有する。
医薬文書検索機能は、公開情報の中から医薬文書を検索する機能である。
公開情報は、公に開示された情報である。
医薬文書は、医薬情報が記載されている文書である。
機械的発明機能は、医薬情報抽出機能と医薬情報改変機能と発明文書生成機能とを有する。
医薬情報抽出機能は、医薬文書検索機能により探し出された医薬文書から医薬情報を抽出する機能である。
医薬情報改変機能は、医薬情報抽出機能により抽出された医薬情報を改変してなる改変医薬情報を生成する機能である。
発明文書生成機能は、発明文書を生成する機能である。
発明文書は、改変医薬情報により特定される医薬発明が記載された文書である。
第２種のコンピュータは、公衆利用可能化機能を有する。
公衆利用可能化機能は、発明文書を電気通信回線を通じて公衆に利用可能とする機能である。
第３種のコンピュータは、公衆が使用するコンピュータである。
【請求項３】
請求項１又は２の発明系において、
医薬情報には、一の化合物又は化合物群（複数の化合物群の組合せを含む）を表す第一種の文字列が含まれる。
医薬情報には、医薬用途を表す第二種の文字列が含まれる。
医薬情報には、治療の態様を表す第三種の文字列が含まれる。
文字列には、化学式及び／又は構造式が含まれ得る。
医薬情報改変機能は、第一種の文字列、第二種の文字列及び第三種の文字列のうち、少なくとも一種の文字列を改変する機能を有する。
【請求項４】
請求項１乃至３のいずれかの発明系において、
医薬発明は、一の化合物又は化合物群（複数の化合物群の組合せを含む。）に特定の薬理作用という属性を見出し、その属性をもって特定の疾病に適用するという新たな用途を見出したことに基づく物の発明である。
【請求項５】
請求項１乃至４のいずれかの発明系において、
医薬文書は、特許公報である。
【請求項６】
請求項１乃至５のいずれかに記載の発明系を実現するためのコンピュータプログラム。
【請求項７】
請求項６のコンピュータプログラムを記録した記録媒体。
【発明の詳細な説明】
【技術分野】
【０００１】
この発明は、形式創薬の技術分野に属する。
この発明は、知能増幅の技術分野に属する。
この発明は、人工知能の技術分野に属する。
この発明は、自然言語処理、特に自動文書作成の技術分野に属する。
【背景技術】
【０００２】
特許制度はパテントトロールを生み出した。パテントトロールは、他の企業に対して訴訟を提起するためだけに使用される特許を取得する。パテントトロールにより取得された特許は、他の企業による発明実施の妨げになる。この種の特許は特許地雷と呼ばれることがある。
【０００３】
特許地雷を仕掛ける戦略は、近年では、多くの医薬品製造会社においても採用されている。
【先行技術文献】
【非特許文献】
【０００４】
【非特許文献１】James Boyle,”The Public Domain: Enclosing the Commons of the Mind”, Yale University Press,2008.
【非特許文献２】スティーブン・ウェーバー，『オープンソースの成功』，山形浩生/守岡桜訳，毎日コミュニケーションズ，２００７年．
【非特許文献３】ローレンス・レッシグ，『コモンズ』，山形浩生訳，翔泳社，２００２年．
【非特許文献４】欧州特許庁，『未来のシナリオ』，http://www.epo.org/news-issues/issues/scenarios.html．
【非特許文献５】”Patent Trolling-Why Bio & Pharmaceuticals Are at Risk”，17 Stan. Tech. L. Rev. 773, 2014，UC Hastings Research Paper No. 93
【発明の概要】
【発明が解決しようとする課題】
【０００５】
医薬発明の実施が特許の存在により妨げられることは、人の生命と健康に直接かかわる重大な問題である。
【０００６】
この発明は、特許制度の存在下で、医薬発明の実施を促進することを目的とする。
【課題を解決するための手段】
【０００７】
上記課題を解決するための手段として、本出願人は、発明系を提案する。
この発明系は、発明文書を自動生成し、それを公開する系である。
【０００８】
この発明系は、医薬文書検索機能と機械的発明機能と公衆利用可能化機能とを有する。
医薬文書検索機能は、公開情報の中から医薬文書を探し出す機能である。
公開情報は、公に開示された情報である。
医薬文書は、医薬情報が記載されている文書である。
機械的発明機能は、医薬情報抽出機能と医薬情報改変機能と発明文書生成機能とを有する。
医薬情報抽出機能は、医薬文書から医薬情報を抽出する機能である。
医薬情報改変機能は、医薬情報を改変して改変医薬情報を生成する機能である。
発明文書生成機能は、発明文書を生成する機能である。
発明文書は、改変医薬情報により特定される医薬発明が記載された文書である。
公衆利用可能化機能は、発明文書を電気通信回線を通じて公衆に利用可能とする機能である。
【０００９】
この発明系によれば、発明文書が生成され、当該発明文書が電気通信回線を通じて公衆に利用可能とされる。その結果、当該発明文書に記載されている医薬発明（以下、「発明文書記載発明」と記す。）は新規性を喪失する。したがって、その後に発明文書記載発明又は発明文書記載発明と実質同一の医薬発明について特許出願がされた場合、当該出願に係る医薬発明は新規性がないため、そのことを理由に当該出願は拒絶される。また、当該出願に係る医薬発明が発明文書記載発明に基づいて当業者が容易に発明をすることができた発明であった場合、当該出願に係る医薬発明は進歩性がないため、そのことを理由に当該出願は拒絶される。当該出願に係る医薬発明が特許されたとしても、当該特許は無効理由（新規性がない、又は、進歩性がない）を有する。当該特許は形式的に存続しても実質的に無効である。
【００１０】
この発明系により、内容の異なる発明文書を次々と生成し、それらを電気通信回線を通じて次々と公衆に利用可能としていくことにより、医薬発明の実施を希望する企業にとっての「特許地雷」を除去しうる。すなわち、医薬分野の多くの特許が無効理由を有することにより、当該特許された医薬発明或いはその改良発明の実施を希望する企業は、当該特許の存在によってその実施を制限されることなく、それらを自由に実施することができる。そして、新しい医薬を開発する上で他社の特許発明を回避することなく、技術に改良を積み重ねていくことができる。
【００１１】
この発明系によれば、特許出願した時点で既に、当該出願に係る医薬発明が記載された発明文書が電気通信回線を通じて公衆に利用可能になっているという状況を作り出すことができるので、特許出願をすることを無意味化しうる。このため、特許出願をやめてしまう、或いは出願件数を大幅に削減することにより、出願や特許維持にための費用を省くことができる。その費用分を新しい医薬の開発や医薬発明の実施のために投入することにより、医薬分野の技術進歩の促進効率を向上させることができる。
【００１２】
この発明系によれば、機械的（形式的）に創作しうる水準の医薬発明の特許化を阻止し、機械的になしえない水準の医薬発明の特許化を促すことができるので、医薬分野の特許発明の水準の低下を防止することができる。
この発明系によれば、真に水準の高い医薬発明のみ特許される状況が作り出されるので、医薬分野の特許の法的安定性を高めることができる。
【発明の効果】
【００１３】
本発明は、機械的に創作しうる水準の医薬発明の特許化を阻止し、或いは、機械的に創作しうる水準の医薬発明について与えられた特許を事実上無効化することにより、医薬分野の技術の進歩及び医薬発明の実施を促進し、もって医療産業の発達に寄与することができる。
【図面の簡単な説明】
【００１４】
【図１】発明系の概念図
【図２】発明文書の概念図
【発明を実施するための形態】
【００１５】
本発明を実施するための形態について説明する。
本発明の発明系１０は、第１種のコンピュータ（以下、「発明マシン」と記す）１１と、第２種のコンピュータ（以下、「発明公開サーバ」と記す）１２と、を有する。発明マシン１１と発明公開サーバ１２は互いに通信可能である。
【００１６】
発明マシン１１は、医薬文書検索部１１１と機械的発明部１１２とを有する。
【００１７】
医薬文書検索部１１１は、公開情報の中から医薬文書を探し出す機能ブロックである。
医薬文書検索部１１１は、特許情報データベース１５に保存されている多数の特許公報（公開情報）の中から、医薬情報が記載されている特許公報（医薬文書）を探し出す。
特許情報データベース１５の例として、Japan Platform for Patent Information（）、Espacenet（https://worldwide.espacenet.com/）、USPTO Full-Text and Image Database（http://appft.uspto.gov/netahtml/PTO/search-bool.html）、PATENTSCOPE（World Intellectual Property Organization）（https://patentscope.wipo.int/search/en/search.jsf）、Google Patents（https://patents.google.com/）、Derwent Innovation Index（http://ip-science.thomsonreuters.jp/products/dwpi/support/ManualCode/）、等を挙げることができる。
医薬文書検索部１１１は、ＩＰＣの例えばＡ６１クラスの特許公報ＰＰを検索する。特許公報ＰＰには、出願公開公報と特許掲載公報とが含まれる。
【００１８】
機械的発明部１１２は、医薬情報抽出部１１２ａと医薬情報改変部１１２ｂと発明文書生成部１１２ｃとを有する。
【００１９】
医薬情報抽出部１１２ａは、医薬文書検索部１１１が探し出した特許公報ＰＰから医薬情報ＰＩを抽出する機能ブロックである。
医薬情報ＰＩには、一の化合物又は化合物群（複数の化合物群の組合せを含む）を表す第一種の文字列Ｓ１が含まれる。
医薬情報には、医薬用途を表す第二種の文字列Ｓ２が含まれる。
医薬情報には、治療の態様を表す第三種の文字列Ｓ３が含まれる。
文字列には、化学式及び／又は構造式が含まれ得る。
【００２０】
医薬情報改変部１１２ｂは、医薬情報ＰＩを改変して改変医薬情報ＭＩを生成する機能ブロックである。
医薬情報改変部１１２ｂは、第一種の文字列Ｓ１、第二種の文字列Ｓ２及び第三種の文字列Ｓ３のうち、少なくとも一種の文字列を改変する機能を有する。
【００２１】
発明文書生成部１１２ｃは、発明文書Ｄを生成する機能ブロックである。
発明文書Ｄは、改変医薬情報ＭＩにより特定される医薬発明が記載された文書である。
発明文書Ｄには、発明（技術思想）を表現する文章（以下、「発明表現文」と記す）Ｔが記載される。
発明（技術思想）は、一又は複数の発明特定事項により特定される。
発明文書Ｄに記載された発明の技術的意味（内容）は、発明特定事項の文言によって画定される。
【００２２】
発明文書生成部１１２ｃは、文章作成部１１２ｄを有する。
文章作成部１１２ｄは、発明表現文(技術思想表現文)Ｔを作成する機能である。
【００２３】
文章作成部１１２ｄによる発明表現文Ｔの作成方式には、いくつかの方式がある。
その一例として、既知の文又は文節を組み合わせて発明表現文Ｔを作成する方式を挙げることができる。
具体的には、インターネット１４上に蓄積された大量の言語データ（コーパス）を情報源として、統計的手法或いは機械学習手法を利用することで発明表現文作成用知識を獲得し、その知識を利用し、形態素解析、構文解析、意味解析、文脈解析、テキストマイニングといった手法を用いて発明表現文Ｔを作成する方式である。
【００２４】
発明表現文Ｔは、発明定義文ＴＤと目的表現文ＴＰとを有する。
発明定義文ＴＤは、一又は複数の発明特定事項により発明を定義(特定)する文章である。
発明定義文ＴＤは、特許請求の範囲に記載される類の文章である。
目的表現文ＴＰは、発明の目的（発明が解決しようとする課題）を表現する文章である。
目的表現文ＴＰは、明細書の［発明が解決しようとする課題］の欄に記載される類の文章である。
【００２５】
文章作成部１１２ｄは、目的表現文作成部１１２ｅと発明定義文作成部１１２ｆとを有する。
目的表現文作成部１１２ｅは、目的表現文ＴＰを作成する機能ブロックである。
発明定義文作成部１１ｄは、発明定義文ＴＤを作成する機能ブロックである。
【００２６】
発明マシン１１は、クライアントマシン１３とインターネット１４を介して接続される。
この構成により、クライアントマシン１３から発明マシン１１にアクセスしうる状況が作り出される。
【００２７】
発明公開サーバ１２は、公衆利用可能化部１２ａを有する。
公衆利用可能化部１２ａは、発明文書生成部１１２ｃにより生成された発明文書Ｄを電気通信回線を通じて公衆に利用可能とする機能である。
「発明文書Ｄを電気通信回線を通じて公衆に利用可能とする」とは、わかりやすくいえば、発明文書Ｄをインターネット１４上に公開する、ということである。以下、この表現を用いる。
「電気通信回線」には光通信回線が含まれる。インターネット１４は電気通信回線として機能する。
発明公開サーバ１２は、発明文書Ｄ毎にユニークなＩＤ（識別情報）を生成する。
発明文書Ｄは、ＩＤにより管理される。
【００２８】
発明公開サーバ１２は、第３種のコンピュータ（以下、「クライアントマシン」と記す）１３とインターネット１４を介して接続されている。
クライアントマシン１３は、不特定多数のコンピュータである。
この構成により、クライアントマシン１３を操作する不特定多数のユーザがインターネット１４上に公開された発明文書Ｄにアクセスしうる状況が作り出される。
【００２９】
クライアントマシン１３は、目的関連情報送信部１３ａを有する。
目的関連情報送信部１３ａは、目的関連情報を発明マシン１１に送信する機能ブロックである。
目的関連情報は、目的表現文ＴＰに含ませるべき文、文節、単語、等、文字情報である。
クライアントマシン１２は、ユーザによる入力操作に基づいて、目的関連情報を作成する。
【００３０】
発明マシン１１は、クライアントマシン１３から受け取った目的関連情報に基づいて、目的表現文ＴＰ及び発明定義文ＴＤを作成する。
【００３１】
発明マシン１１は、発明定義文ＴＤの作成処理に先行して、目的表現文ＴＰの作成処理を実行する。
発明マシン１１は、目的表現文ＴＰに基づいて、発明定義文ＴＤの作成処理を実行する。
発明マシン１１は、目的表現文ＴＰに含まれる文字情報に基づいて、発明定義文ＴＤの作成処理を実行する。
或いは、発明マシン１１は、目的表現文ＴＰの文意(概念)に基づいて、発明定義文ＴＤの作成処理を実行する。
この構成により、クライアントマシン１３のユーザの意思が反映された目的関連情報に基づいて目的表現文ＴＰが作成され、そして発明定義文ＴＤが作成される。
発明定義文ＴＤの内容は、その目的表現文ＴＰの内容によって異なりうる。
【００３２】
発明マシン１１は、発明定義文ＴＤの作成処理において確率的要素(すなわち偶然性)を持たせうる。
この構成により、たとえ目的表現文ＴＰが同一でも、内容の異なる発明定義文ＴＤが作成されうる。
【００３３】
クライアントマシン１３は、目的関連情報送信部１３ａに加えて、発明定義文修正情報送信部１３ｂを有する。
発明定義文修正情報送信部１３ｂは、発明定義文修正情報を発明マシン１１に送信する機能ブロックである。
発明定義文修正情報は、発明公開サーバ１２が公開している発明文書Ｄに記載されている発明表現文Ｔのうち、発明定義文ＴＤの内容を一部変更（加筆・修正）した情報である。
クライアントマシン１３は、ユーザによる入力操作に基づいて、発明定義文修正情報を作成する。
クライアントマシン１３は、発明定義文修正情報を、変更の対象となった発明文書ＤのＩＤと関連づける。
【００３４】
発明マシン１１は、クライアントマシン１３から発明定義文修正情報を受信する。
発明マシン１１は、発明定義文修正情報と関連づけられたＩＤの発明文書Ｄを探索する。
発明マシン１１は、発明定義文修正情報に基づいて、変更の対象となった発明文書（第１文書）Ｄの発明定義文ＴＤを変更した発明文書（第２文書）Ｄを新たに作成する。
【００３５】
発明マシン１１は、当該新たに作成された発明文書（第２文書）Ｄを発明公開サーバ１２に送信する。
発明マシン１１は、当該新たに作成された発明文書（第２文書）Ｄとともに、文書間関係情報を発明公開サーバ１２に送信する。
文書間関係情報は、変更の対象となった発明文書（第１文書）Ｄと当該新たに作成された発明文書（第２文書）Ｄが互いに親子関係にあることを判別しうる情報である。
発明公開サーバ１２は、当該新たに作成された発明文書（第２文書）Ｄとその文書間関係情報とを、発明マシン１１から受信する。
発明公開サーバ１２は、文書間関係情報に基づいて、当該新たに作成された発明文書（第２文書）ＤのＩＤを生成する。
発明公開サーバ１２は、変更の対象となった発明文書（第１文書）Ｄとの親子関係を判別しうる形式で、当該新たに作成された発明文書（第２文書）ＤのＩＤを生成する。
発明公開サーバ１２は、当該新たに作成された発明文書（第２文書）Ｄを、インターネット１４上に公開する。
【００３６】
機械的発明部１１２は、医薬情報抽出部１１２ａと医薬情報改変部１１２ｂと発明文書生成部１１２ｃとを有する。
【００３７】
医薬情報抽出部１１２ａは、医薬文書検索部１１１が探し出した特許公報ＰＰから医薬情報ＰＩを抽出する機能ブロックである。
医薬情報ＰＩには、一の化合物又は化合物群（複数の化合物群の組合せを含む）を表す第一種の文字列Ｓ１が含まれる。
医薬情報には、医薬用途を表す第二種の文字列Ｓ２が含まれる。
医薬情報には、治療の態様を表す第三種の文字列Ｓ３が含まれる。
文字列には、化学式及び／又は構造式が含まれ得る。
【００３８】
医薬情報改変部１１２ｂは、医薬情報ＰＩを改変して改変医薬情報ＭＩを生成する機能ブロックである。
医薬情報改変部１１２ｂは、第一種の文字列Ｓ１、第二種の文字列Ｓ２及び第三種の文字列Ｓ３のうち、少なくとも一種の文字列を改変する機能を有する。
【００３９】
発明文書生成部１１２ｃは、発明文書Ｄを生成する機能ブロックである。
発明文書Ｄは、改変医薬情報ＭＩにより特定される医薬発明が記載された文書である。
発明文書Ｄには、発明（技術思想）を表現する文章（以下、「発明表現文」と記す）Ｔが記載される。
発明（技術思想）は、一又は複数の発明特定事項により特定される。
発明文書Ｄに記載された発明の技術的意味（内容）は、発明特定事項の文言によって画定される。
【００４０】
発明文書生成部１１２ｃは、文章作成部１１２ｄを有する。
文章作成部１１２ｄは、発明表現文(技術思想表現文)Ｔを作成する機能である。
【００４１】
文章作成部１１２ｄによる発明表現文Ｔの作成方式には、いくつかの方式がある。
その一例として、既知の文又は文節を組み合わせて発明表現文Ｔを作成する方式を挙げることができる。
具体的には、インターネット１４上に蓄積された大量の言語データ（コーパス）を情報源として、統計的手法或いは機械学習手法を利用することで発明表現文作成用知識を獲得し、その知識を利用し、形態素解析、構文解析、意味解析、文脈解析、テキストマイニングといった手法を用いて発明表現文Ｔを作成する方式である。
【００４２】
発明表現文Ｔは、発明定義文ＴＤと目的表現文ＴＰとを有する。
発明定義文ＴＤは、一又は複数の発明特定事項により発明を定義(特定)する文章である。
発明定義文ＴＤは、特許請求の範囲に記載される類の文章である。
目的表現文ＴＰは、発明の目的（発明が解決しようとする課題）を表現する文章である。
目的表現文ＴＰは、明細書の［発明が解決しようとする課題］の欄に記載される類の文章である。
【００４３】
文章作成部１１２ｄは、目的表現文作成部１１２ｅと発明定義文作成部１１２ｆとを有する。
目的表現文作成部１１２ｅは、目的表現文ＴＰを作成する機能ブロックである。
発明定義文作成部１１ｄは、発明定義文ＴＤを作成する機能ブロックである。
【００４４】
上記医薬情報改変部１１２ｂの作用について、いくつか例を挙げて説明する。
（例１）医薬文書検索部１１１が探し出した特許公報ＰＰに、例えば、「ＡとＢとを組み合わせてなるＸＸＸＸ薬。」という医薬情報ＰＩを表す文字列Ｓが記載されていたとする。この医薬情報ＰＩには、「ＡとＢとを組み合わせてなる」という第一種の文字列Ｓ１と、「ＸＸＸＸ薬」という第二種の文字列Ｓ２と、が含まれる。
ここで、「Ａ」及び「Ｂ」は、化合物名（微生物名を含む）又は化合物の化学記号（化学式、構造式を含む）である。また、「ＸＸＸＸ」は、癌治療、糖尿病治療、整腸、鎮痛といった医薬用途を示す文字列である。（以下同様）
医薬情報抽出部１１２ａは、「ＡとＢとを組み合わせてなるＸＸＸＸ薬。」（文字列Ｓ）を抽出する。
医薬情報改変部１１２ｂは、「ＡとＢとを組み合わせてなる」（第一種の文字列Ｓ１）と「ＸＸＸＸ薬」（第二種の文字列Ｓ２）のうち少なくとも一の文字列を改変する。
医薬情報改変部１１２ｂによる「ＡとＢとを組み合わせてなる」（第一種の文字列Ｓ１）の改変例として、下記の列Ｓ１ａ、Ｓ１ｂを挙げることができる。
Ｓ１ａ：「ＡとＣとを組み合わせてなる」（発明特定事項（有効成分）の置換）
Ｓ１ｂ：「ＡとＢとＣを組み合わせてなる」（発明特定事項（有効成分）の付加）
医薬情報改変部１１２ｂによる「ＸＸＸＸ薬」（第二種の文字列Ｓ２）の改変例として、下記のＳ２ａを挙げることができる。
Ｓ２ａ：「ＹＹＹＹ薬」（医薬用途の変更）
なお、「ＹＹＹＹ」は、「ＸＸＸＸ」と異なる医薬用途を示す文字列である。（以下同様）
上記の例の場合、医薬情報改変部１１２ｂにより生成され得る改変医薬情報ＭＩは、下記の通りである。
ＭＩａ：「ＡとＣとを組み合わせてなるＸＸＸＸ薬。」（Ｓ１をＳ１ａに改変）
ＭＩｂ：「ＡとＣとを組み合わせてなるＹＹＹＹ薬。」（Ｓ１をＳ１ａに改変、Ｓ２をＳ２ａ改変）
ＭＩｃ：「ＡとＢとＣとを組み合わせてなるＸＸＸＸ薬。」（Ｓ１をＳ１ｂに改変）
ＭＩｄ：「ＡとＢとＣとを組み合わせてなるＹＹＹＹ薬。」（Ｓ１をＳ１ｂに改変、Ｓ２をＳ２ａに改変）
ＭＩｅ：「ＡとＢとを組み合わせてなるＹＹＹＹ薬。」（Ｓ２を２ａに改変）
【００４５】
（例２）医薬文書検索部１１１が探し出した特許公報ＰＰに、例えば、「ＡとＢをｍ対ｎの割合で含有するＸＸＸＸ剤。」という医薬情報ＰＩを表す文字列Ｓが記載されていたとする。この医薬情報ＰＩには、「ＡとＢをｍ対ｎの割合で含有する」という第一種の文字列Ｓ１と、「ＸＸＸＸ薬」という第二種の文字列Ｓ２と、が含まれる。ここで、「ｍ」及び「ｎ」は、数値を示す文字又は文字列である。
医薬情報抽出部１１２ａは、「ＡとＢをｍ対ｎの割合で含有するＸＸＸＸ剤。」（文字列Ｓ）を抽出する。
医薬情報改変部１１２ｂは、「ＡとＢをｍ対ｎの割合で含有する」（第一種の文字列Ｓ１）と「ＸＸＸＸ薬」（第二種の文字列Ｓ２）のうち少なくとも一の文字列を改変する。
医薬情報改変部１１２ｂによる「ＡとＢをｍ対ｎの割合で含有する」（第一種の文字列Ｓ１）の改変例として、下記の例Ｓ１ａを挙げることができる。
Ｓ１ｃ：「ＡとＢとをｐ対ｑの割合で含有する」（組成比の変更）
なお、「ｐ」は「ｍ」と異なる値を示す文字又は文字列である。「ｑ」は「ｎ」と異なる値を示す文字又は文字列である。
医薬情報改変部１１２ｂによる「ＸＸＸＸ薬」（第二種の文字列Ｓ２）の改変例として、下記の列Ｓ２ａを挙げることができる。
Ｓ２ａ：「ＹＹＹＹ薬」（医薬用途の変更）
上記の例の場合、医薬情報改変部１１２ｂにより生成され得る改変医薬情報ＭＩは、下記の通りである。
ＭＩｆ：「ＡとＢとをｐ対ｑの割合で含有するＸＸＸＸ剤。」（Ｓ１をＳ１ｃに改変）
ＭＩｇ：「ＡとＢとをｐ対ｑの割合で含有するＹＹＹＹ剤。」（Ｓ１をＳ１ｃに改変、Ｓ２をＳ２ａに改変）
【００４６】
（例３）医薬文書検索部１１１が探し出した特許公報ＰＰに、例えば、「Ａがα及びβよりなる群より選択される投与経路により、Ｂがγによる投与経路により、δの割合で、それぞれε〜ζmg/kg、η〜θmg/kg の量にて投与されるXXXX薬。」という医薬情報ＰＩを表す文字列Ｓが記載されていたとする。この医薬情報ＰＩには、「Ａが」及び「Ｂが」という第一種の文字列Ｓ１と、「ＸＸＸＸ薬」という第二種の文字列Ｓ２と、「α及びβよりなる群より選択される投与経路により」、「γによる投与経路により」、「δの割合で」及び「それぞれε〜ζmg/kg、η〜θmg/kg の量にて投与」という第三種の文字列Ｓ３と、が含まれる。
ここで、「α」、「β」及び「γ」は、「静脈」、「皮下」、「経口」といった投与経路を示す文字列である。「δ」は投与時期・間隔を示す文字列である。「ε」、「ζ」、「η」及び「θ」は、数値を示す文字又は文字列である。
医薬情報抽出部１１２ａは、「Ａがα及びβよりなる群より選択される投与経路により、Ｂがγによる投与経路により、δの割合で、それぞれε〜ζmg/kg、η〜θmg/kg の量にて投与されるXXXX薬。」（文字列Ｓ）を抽出する。
医薬情報改変部１１２ｂは、「Ａが」及び「Ｂが」（第一種の文字列Ｓ１）と「ＸＸＸＸ薬」（第二種の文字列Ｓ２）と「α及びβよりなる群より選択される投与経路により」、「γによる投与経路により」、「δの割合で」及び「それぞれε〜ζmg/kg、η〜θmg/kg の量にて投与」（第三種の文字列Ｓ３）のうち少なくとも一の文字列を改変する。
医薬情報改変部１１２ｂによる、「α及びβよりなる群より選択される投与経路により」、「γによる投与経路により」、「δの割合で」及び「それぞれε〜ζmg/kg、η〜θmg/kg の量にて投与」（第三種の文字列Ｓ３）の改変例として、下記の列Ｓ３ａ、Ｓ３ｂ、Ｓ３ｃを挙げることができる。
Ｓ３ａ：「α１及びβ２よりなる群より選択される投与経路により」、「γ３による投与経路により」、「δの割合で」及び「それぞれε〜ζmg/kg、η〜θmg/kg の量にて投与」（発明特定事項（投与経路）の置換）
Ｓ３ｂ：「α及びβよりなる群より選択される投与経路により」、「γによる投与経路により」、「δ１の割合で」及び「それぞれε〜ζmg/kg、η〜θmg/kg の量にて投与」（発明特定事項（投与間隔）の変更）
Ｓ３ｃ：「α及びβよりなる群より選択される投与経路により」、「γによる投与経路により」、「δの割合で」及び「それぞれε１〜ζ２mg/kg、η３〜θ４mg/kg の量にて投与」（発明特定事項（投与量及び割合）の変更）
なお、「α１」、「β２」及び「γ３」は、それぞれ「α」、「β」及び「γ」と異なる投与経路を示す文字列である。「δ１」は「δ」と異なる投与間隔を示す文字列である。「ε１」、「ζ２」、「η３」及び「θ４」は、それぞれ「ε」、「ζ」、「η」及び「θ」と異なる値を示す文字又は文字列である。
上記の例の場合、医薬情報改変部１１２ｂにより生成され得る改変医薬情報ＭＩは、下記の通りである。
ＭＩｈ：「Ａがα１及びβ２よりなる群より選択される投与経路により、Ｂがγ３による投与経路により、δの割合で、それぞれε〜ζmg/kg、η〜θmg/kg の量にて投与されるXXXX薬。」（Ｓ３をS3ａに改変）
ＭＩｉ：「Ａがα及びβよりなる群より選択される投与経路により、Ｂがγによる投与経路により、δ１の割合で、それぞれε〜ζmg/kg、η〜θmg/kg の量にて投与されるXXXX薬。」（Ｓ３をS3ｂに改変）
「ＡとＣとを組み合わせてなるＹＹＹＹ薬。」（文字列Ｓ１及びＳ２を改変）
ＭＩｊ：「Ａがα及びβよりなる群より選択される投与経路により、Ｂがγによる投与経路により、δの割合で、それぞれε１〜ζ２mg/kg、η３〜θ４mg/kg の量にて投与されるXXXX薬。」（Ｓ３をS3ｃに改変）
【００４７】
上記のようにして医薬情報改変部１１２ｂにより生成された改変医薬情報ＭＩが発明定義文作成部１１ｄに送られる。
発明定義文作成部１１ｄは、医薬情報改変部１１２ｂから受け取った改変医薬情報ＭＩに基づいて発明定義文ＴＤを作成する。
発明定義文作成部１１ｄは、医薬情報改変部１１２ｂから受け取った改変医薬情報ＭＩをそのまま（無変更のまま）発明定義文ＴＤとすることができる。
発明定義文作成部１１ｄは、医薬情報改変部１１２ｂから受け取った改変医薬情報ＭＩの少なくとも一部を変更したものを発明定義文ＴＤとすることもできる。この変更は、目的表現文作成部１１２ｅにより作成される目的表現文ＴＰの内容に基づいてなされる。その際、発明定義文作成部１１ｄは、物理分野、化学分野、薬学分野及び医学分野の最新のデータベース（各分野の知識データ、各分野のコーパス、等）を参照する。そして、作成される発明定義文ＴＤの内容が、より自然法則（物理・化学法則）に適合し、より薬学的及び医学的に実現可能性が高くなるように、学習しつつ発明定義文ＴＤを作成する。
【００４８】
上記のように構成された発明系１０によれば、発明マシン１１が内容の異なる発明文書Ｄを次々と生成し、それらの発明文書Ｄを発明公開サーバ１２がインターネット１４上に次々と公開していく。その結果、発明文書記載発明（医薬発明）は新規性を喪失する。したがって、その後に発明文書記載発明又は発明文書記載発明と実質同一の医薬発明について特許出願がされた場合、当該出願に係る医薬発明は新規性がないため、そのことを理由に当該出願は拒絶される。また、当該出願に係る医薬発明が発明文書記載発明に基づいて当業者が容易に発明をすることができた医薬発明であった場合、当該出願に係る医薬発明は進歩性がないため、そのことを理由に当該出願は拒絶される。当該出願に係る医薬発明が特許されたとしても、当該特許は無効理由（新規性がない、又は、進歩性がない）を有する。当該特許は形式的に存続しても実質的に無効である。
【００４９】
この発明系１０により、医薬分野の多くの特許が無効理由を有する状況を作り出すことにより、医薬発明の実施を希望する企業にとっての「特許地雷」を除去しうる。すなわち、他社の特許発明或いはその改良発明の実施を希望する企業は、当該特許の存在によってその実施を制限されることなく、それらを自由に実施することができる。そして、技術を開発する上で他社の特許発明を回避することなく、技術に改良を積み重ねていくことができる。
【００５０】
この発明系１０によれば、特許出願した時点で既に、当該出願に係る医薬発明が記載された発明文書Ｄが発明公開サーバ１１によってインターネット１４上に公開されているという状況を作り出すことができるので、特許出願をすることを無意味化しうる。このため、特許出願をやめてしまう、或いは出願件数を大幅に削減することにより、出願や特許維持にための費用を省くことができる。その費用分を新薬の開発や医薬発明の実施のために投入することにより、医薬分野の技術進歩の促進効率を向上させることができる。
【００５１】
この発明系１０によれば、機械的に創作しうる水準の医薬発明の特許化を阻止し、機械的になしえない水準の医薬発明の特許化を促すことができるので、医薬分野の特許発明の水準の低下を防止するとともに、医薬分野の特許の法的安定性を高めることができる。
【００５２】
この発明系１０によれば、「できるだけ多くの医薬分野の特許を無効化することにより、医薬分野の技術の進歩及び医薬発明の実施を促進する」という共通の目的のために人々が無給でも貢献し、その成果を無料で共有しうる協調的社会メディアを実現しうる。ここでいう「人々」とは、インターネットに接続されたクライアントマシン１３のユーザである。
【００５３】
上記の例では、発明マシン１１と発明公開サーバ１２の役割を各々別のコンピュータに持たせたが、両者を一つのコンピュータで構成してもよい。
また、上記の説明では、文章作成部１１２ｄによる表現文の作成方式として、既知の文又は文節を組み合わせて発明を表現する文章を作成する方式を例示したが、その他の例として、文字列を網羅的に（所定の規則に従ってランダムに）生成することにより医薬発明を表現する文章を作成する方式を挙げることができる。後者の方式は、前者の方式と比較して有意文を生成する効率が悪いという欠点があるが、人々が考えつかないような突飛な（画期的な）医薬発明を表現する文章を作成するという点において、むしろ後者の方が優れているかもしれない。
【００５４】
なお、発明マシン１１は、一又は複数のコンピュータが各種プログラムを実行することによって実現される。
発明公開サーバ１２は、一又は複数のコンピュータが各種プログラムを実行することによって実現される。
クライアントマシン１３は、一又は複数のコンピュータが各種プログラムを実行することによって実現される。
【００５５】
上記各種プログラムは、当該プログラムをコンピュータが読取可能な一時的でない（ｎｏｎ−ｔｒａｎｓｉｔｏｒｙ）記憶媒体に記憶される。
このような「コンピュータ読取可能な記憶媒体」は、光学記録媒体又は磁気記憶媒体等を含む。また、このようなプログラムを、ネットワークを介したダウンロードによって提供することもできる。
【符号の説明】
【００５６】
１０  発明系
１１  発明マシン（第１種のコンピュータ）
１１１  医薬文書検索部
１１２  機械的発明部
１１２ａ  医薬情報抽出部
１１２ｂ  医薬情報改変部
１１２ｃ  発明文書生成部
１１２ｄ  文章作成部
１１２ｅ  目的表現文作成部
１１２ｆ  発明定義文作成部
１２  発明公開サーバ（第２種のコンピュータ）
１２ａ  公衆利用可能化部
１３  クライアントコンピュータ（第３種のコンピュータ）
１３ａ  目的関連情報送信部
１３ｂ  発明定義文修正情報送信部
１４  インターネット
１５  特許情報データベース
Ｄ  発明文書
Ｔ  発明表現文
ＴＤ  発明定義文
ＴＰ  目的表現文
【図１】
2017188116.tif 000003
【図２】
2017188116.tif 000004